(57)【要約】      （修正有）【課題】第１対物光学系と第２対物光学系とを有しており、それらの光軸の位置ずれ補正して精度良い位置検出を行うことができる位置検出装置を提供する。【解決手段】位置検出装置は、第１対物光学系１１と第２対物光学系とに調整光ＯＤを照射する調整光学系４０を用いて、第１対物光学系の光軸ＯＡ１と第２対物光学系の光軸との位置ずれ量を算出し、これに基づいて相対的な位置ずれを調整する。調整光学系４０は、第１対物光学系１１と第１撮像部１２との間に配置されているときに、調整光ＯＤを、第１対物光学系１１の方向と第１撮像部１２の方向へ分割して反射する反射光学系１７と、反射光学系１７を、第１対物光学系１１と第１撮像部１２との間から退避させる退避機構とを備える。【選択図】図９
2014167472.tif 000002
【特許請求の範囲】
【請求項１】
第１アライメントマークを有する第１基板と第２アライメントマークを有する第２基板とを重ね合わせる基板重ね合わせ装置において、
前記第１アライメントマークを検出する第１対物光学系、および前記第１対物光学系を通過した光束を受光する第１撮像部を有する第１位置検出部と、
前記第１対物光学系と対向して配置され前記第２アライメントマークを検出する第２対物光学系、および前記第２対物光学系を通過した光束を受光する第２撮像部を有する第２位置検出部と、
前記第２撮像部へ照射される基準光を発する基準光学系と、
前記基準光を前記第１撮像部へ反射させる反射部材と、
前記反射部材によって前記第１撮像部へ反射された前記基準光と前記第１対物光学系の光軸の位置ずれ量と、前記第２撮像部へ照射された前記基準光と前記第２対物光学系の光軸の位置ずれ量とに基づき、前記第１対物光学系の光軸と前記第２対物光学系の光軸との相対位置を測定する測定部と
を備え、
前記反射部材は、前記第１基板を載置するステージに設置され、前記ステージが駆動されることにより、前記第１対物光学系の光軸上に配置される位置と前記第１対物光学系の光軸上から退避する位置との間で移動する基板重ね合わせ装置。
【請求項２】
前記第２対物光学系と前記第２撮像部は、前記ステージに対して相対的に固定された請求項１に記載の基板重ね合わせ装置。
【請求項３】
前記反射部材は、前記ステージ上において、前記第２対物光学系と前記第１基板の載置面との間に設置された請求項１または２に記載の基板重ね合わせ装置。
【請求項４】
前記測定部は、前記反射部材が前記第１対物光学系の光軸上に配置されているときの前記基準光により、前記基準光と前記第１対物光学系との位置ずれ量を測定し、前記反射部材が前記第１対物光学系の光軸上から退避しているときの前記基準光により、前記基準光と前記第２対物光学系の光軸との位置ずれ量を測定する請求項１から３のいずれか１項に記載の基板重ね合わせ装置。
【請求項５】
前記反射部材は、ハーフミラーである請求項１または２に記載の基板重ね合わせ装置。
【請求項６】
前記反射部材は、前記ステージの端部に片持ちで支持された請求項５に記載の基板重ね合わせ装置。
【請求項７】
前記測定部は、前記ハーフミラーにより反射された前記基準光により、前記基準光と前記第１対物光学系の光軸との位置ずれ量を測定し、前記ハーフミラーを透過した前記基準光により、前記基準光と前記第２対物光学系の光軸との位置ずれ量を測定する請求項５または６に記載の基板重ね合わせ装置。
【請求項８】
前記基準光学系は、基準光源と、前記基準光源から照射された前記基準光の視野を絞る指標板とを有し、
前記反射部材は、前記指標板を経た前記基準光を反射する請求項１から７のいずれか一項に記載の基板重ね合わせ装置。
【請求項９】
前記指標板は、ピンホール孔又は二次元パターンの開口孔を有する請求項８に記載の基板重ね合わせ装置。
【請求項１０】
前記指標板により視野が絞られた前記基準光を更に絞る開口絞りを有する請求項８または９に記載の基板重ね合わせ装置。
【請求項１１】
前記測定部は、測定した前記位置ずれ量を補正値として記憶する記憶部を備える請求項１から１０のいずれか一項に記載の基板重ね合わせ装置。
【請求項１２】
前記第１対物光学系および前記第２対物光学系による計測値の少なくとも一方に前記補正値を加える請求項１１に記載の基板重ね合わせ装置。
【請求項１３】
前記第１対物光学系に照明光を照射する第１落射照明部と、
前記第２対物光学系に照明光を照射する第２落射照明部と
を備える請求項１から１２のいずれか一項に記載の基板重ね合わせ装置。
【発明の詳細な説明】
【技術分野】
【０００１】
本発明は、基板重ね合わせ装置などに用いられる精密な位置検出装置に関する。特に対物光学系を一対有する位置検出装置、これを備えた基板重ね合わせ装置に関する。なお、本出願は、下記の日本出願に関連する。文献の参照による組み込みが認められる指定国については、下記の出願に記載された内容を参照により本出願に組み込み、本出願の一部とする。
特願２００８−１２７８２７    出願日  ２００８年０５月１５日
特願２００９−０６１７３０    出願日  ２００９年０３月１３日
【背景技術】
【０００２】
近年、携帯電話、ＩＣカード等の電子機器の高機能化に伴い、その内部に実装される半導体デバイス（ＬＳＩ、ＩＣなど）の薄型化又は小型化が進んでいる。また、線幅を狭くすることなく記憶容量を増すために半導体ウエハを数層重ね合わせた三次元実装タイプの半導体デバイス、例えばＳＤカード又はＭＥＭＳなどが増えつつある。
【０００３】
半導体ウエハを重ね合わせするには、表裏の半導体ウエハの電極同士を合致させる必要があるので、サブミクロン単位で位置合わせする必要があり、その技術が半導体ウエハを重ね合わせる上で重要な技術となっている。
【０００４】
特許文献１のウエハ貼り合わせ装置の位置検出装置は、ウエハ貼り合わせ装置の上部に設置した基準顕微鏡及び測定用顕微鏡を用いている。特許文献１の位置検出装置は、あらかじめ基準顕微鏡を用いて、ウエハホルダのフィディシャルマーク及び半導体ウエハのアライメントマークを測定した後に、測定用顕微鏡を用いて測定することで、基準顕微鏡で計測した基準位置座標系における半導体ウエハのアライメントマークの位置座標を取得している。
【特許文献１】特開２００５−２５１９７２号公報
【発明の開示】
【発明が解決しようとする課題】
【０００５】
しかしながら、従来の位置検出装置は基準顕微鏡及び測定用顕微鏡が貼り合わせ装置の天井部に配置しているので、下部のステージにウエハホルダ及び半導体ウエハを載置して、フィディシャルマーク及びアライメントマークを計測した後に、計測済みウエハホルダ及び半導体ウエハを一旦取り外して、上部のステージへ固定して、裏面より再度上部ステージに固定したウエハホルダのフィディシャルマークの位置を検出していた。このため、ウエハホルダ及び半導体ウエハの位置検出には多くの時間と手間がかかっていた。
【０００６】
本発明の位置検出装置はこのような課題を解決するためになされたものであり、第１対物光学素子と第２対物光学素子とを有していても、それらの光軸の位置ずれ補正して精度良い位置検出を行うことができる。またこの位置検出装置を使用した処理能力の高い高精度なウエハ貼り合わせ装置を提供することができる。
【課題を解決するための手段】
【０００７】
第１の観点の位置検出装置は、  第１対物光学系と、第１対物光学系を通過した光束を受光する第１撮像部と、第１対物光学系に対向して配置された第２対物光学系と、第２対物光学系を通過した光束を受光する第２撮像部と、第１対物光学系と第２対物光学系とに調整光を照射する調整光学系と、第２撮像部に照射された調整光に基づいて、第１対物光学系の光軸と第２対物光学系の光軸との位置ずれ量を算出する位置ずれ量算出部と、第１対物光学系の光軸と第２対物光学系の光軸との相対的な位置ずれを、位置ずれ量算出部で算出された位置ずれ量に基づいて調整する調整部とを備える位置検出装置であって、調整光学系は、第１対物光学系と第１撮像部との間に配置されているときに、調整光を、第１対物光学系の方向と第１撮像部の方向へ分割して反射する反射光学系と、反射光学系を、第１対物光学系と第１撮像部との間から退避させる退避機構とを備える。
【０００８】
第２の観点の位置検出装置は、第１対物光学系と、第１対物光学系を通過した光束を受光する第１撮像部と、第１対物光学系に対向して配置された第２対物光学系と、第２対物光学系を通過した光束を受光する第２撮像部と、第１対物光学系と第２対物光学系とに調整光を照射する調整光学系と、第２撮像部に照射された調整光に基づいて、第１対物光学系の光軸と第２対物光学系の光軸との位置ずれ量を算出する位置ずれ量算出部と、第１対物光学系の光軸と第２対物光学系の光軸との相対的な位置ずれを、位置ずれ量算出部で算出された位置ずれ量に基づいて調整する調整部とを備える位置検出装置であって、調整光学系は、第１対物光学系と第１撮像部との間に配置され、第１対物光学系に調整光を反射させるハーフミラーである反射光学系を備える。
【０００９】
第３の観点の第１アライメントマークを有する第１基板と第２アライメントマークを有する第２基板とを重ね合わせる基板重ね合わせ装置は、第１アライメントマークを検出する第１対物光学系と、第１対物光学系を通過した光束を受光する第１撮像部と有する第１位置検出部と、第１対物光学系と対向して配置され第２アライメントマークを検出する第２対物光学系と、第２対物光学系を通過した光束を受光する第２撮像部と有する第２位置検出部と、第１対物光学系と第２対物光学系とに調整光を照射する調整光学系と、第２撮像部に照射された調整光に基づいて、第１位置検出部の光軸と第２位置検出部の光軸との位置ずれ量を算出する位置ずれ量算出部と、第１対物光学系の光軸と第２対物光学系の光軸との相対的な位置ずれを、位置ずれ量算出部で算出された位置ずれ量に基づいて調整する調整部とを備え、調整光学系は、第１対物光学系と第１撮像部との間に配置されているときに、調整光を、第１対物光学系の方向と第１撮像部の方向へ分割して反射する反射光学系と、反射光学系を、第１対物光学系と第１撮像部との間から退避させる退避機構とを備える。
【００１０】
第４の観点の第１アライメントマークを有する第１基板と第２アライメントマークを有する第２基板とを重ね合わせる基板重ね合わせ装置は、第１アライメントマークを検出する第１対物光学系と、第１対物光学系を通過した光束を受光する第１撮像部と有する第１位置検出部と、第１対物光学系と対向して配置され第２アライメントマークを検出する第２対物光学系と、第２対物光学系を通過した光束を受光する第２撮像部と有する第２位置検出部と、第１対物光学系と第２対物光学系とに調整光を照射する調整光学系と、第２撮像部に照射された調整光に基づいて、第１位置検出部の光軸と第２位置検出部の光軸との位置ずれ量を算出する位置ずれ量算出部と、第１対物光学系の光軸と第２対物光学系の光軸との相対的な位置ずれを、位置ずれ量算出部で算出された位置ずれ量に基づいて調整する調整部とを備え、調整光学系は、第１対物光学系と第１撮像部との間に配置され、第１対物光学系に調整光を反射させるハーフミラーである反射光学系を備える。
【００１１】
第５の観点の位置検出装置は、第１対物光学系と、第１対物光学系を通過した光束を受光する第１撮像部と、第１対物光学系に対向して配置された第２対物光学系と、第２対物光学系を通過した光束を受光する第２撮像部と、第１対物光学系と第２対物光学系とに調整光を照射する調整光学系と、第２撮像部に照射された調整光に基づいて、第１対物光学系の光軸と第２対物光学系の光軸との位置ずれ量を算出する位置ずれ量算出部とを備える位置検出装置であって、調整光学系は、調整光を、第１撮像部の方向と第２撮像部の方向とへ分割して反射する反射光学系を備える。
【００１２】
第６の観点の位置検出装置は、第１対物光学系と、第１対物光学系を通過した光束を受光する第１撮像部と、第１対物光学系に対向して配置された第２対物光学系と、第２対物光学系を通過した光束を受光する第２撮像部と、第１対物光学系と第２対物光学系とに調整光を照射する調整光学系と、第２撮像部に照射された調整光に基づいて、第１対物光学系の光軸と第２対物光学系の光軸との位置ずれ量を算出する位置ずれ量算出部とを備える位置検出装置であって、調整光学系は、第１対物光学系に調整光を反射させるハーフミラーである反射光学系を備える。
【００１３】
第７の観点の第１アライメントマークを有する第１基板と第２アライメントマークを有する第２基板とを重ね合わせる基板重ね合わせ装置は、第１アライメントマークを検出する第１対物光学系と、第１対物光学系を通過した光束を受光する第１撮像部と有する第１位置検出部と、第１対物光学系と対向して配置され第２アライメントマークを検出する第２対物光学系と、第２対物光学系を通過した光束を受光する第２撮像部と有する第２位置検出部と、第１対物光学系と第２対物光学系とに調整光を照射する調整光学系と、第２撮像部に照射された調整光に基づいて、第１位置検出部の光軸と第２位置検出部の光軸との位置ずれ量を算出する位置ずれ量算出部とを備え、調整光学系は、調整光を、第１撮像部の方向と第２撮像部の方向とへ分割して反射する反射光学系を備える。
【００１４】
第８の観点の第１アライメントマークを有する第１基板と第２アライメントマークを有する第２基板とを重ね合わせる基板重ね合わせ装置は、第１アライメントマークを検出する第１対物光学系と、第１対物光学系を通過した光束を受光する第１撮像部と有する第１位置検出部と、第１対物光学系と対向して配置され第２アライメントマークを検出する第２対物光学系と、第２対物光学系を通過した光束を受光する第２撮像部と有する第２位置検出部と、第１対物光学系と第２対物光学系とに調整光を照射する調整光学系と、第２撮像部に照射された調整光に基づいて、第１位置検出部の光軸と第２位置検出部の光軸との位置ずれ量を算出する位置ずれ量算出部とを備え、調整光学系は、第１対物光学系に調整光を反射させるハーフミラーである反射光学系を備える。
【図面の簡単な説明】
【００１５】
【図１】位置検出装置７０の概略側面図である。
【図２】ずれ検出方法及びずれの補正方法のフローチャートである。
【図３】（ａ）は、視野絞り４７にピンホールＰを形成した図である。  （ｂ）は、視野絞り４７に十字状のスリットＳを形成した図である。  （ｃ）は、視野絞り４７に４つの開口部ＨＯを形成した図である。
【図４】ウエハ貼り合わせ装置１００の上面概略図である。
【図５】半導体ウエハＷの上面図である。
【図６】（ａ）は、ウエハホルダＷＨの上面図である。  （ｂ）は、（ａ）のＡ−Ａ断面図である。
【図７】アライナー１５０の側面の構成図である。
【図８】アライナー１５０の動作のフローチャートである。
【図９】第１位置検出装置１０近傍の拡大概略側面図である。
【図１０】ずれ検出方法及びずれの補正方法のフローチャートである。
【図１１】第１位置検出装置１０の第１ウエハＷ１側の先端の拡大斜視図である。
【図１２】アライナー２５０の側面の構成図である。
【図１３】アライナー３５０の側面の構成図である。
【符号の説明】
【００１６】
１０  第１位置検出装置、１１  第１対物光学部、１２  第１撮像部、１３  第１対物レンズ、１４  第１結像レンズ、１５  第１ハーフミラー、１６  第２ハーフミラー、１７  プリズム、１９  ハーフミラーホルダ、２０  第２位置検出装置、２１  第２対物光学部、２２  第２撮像部、２３  第２対物レンズ、２４  第２結像レンズ、２５  第３ハーフミラー、４０  調整光学系、４１  光源、４３  ファイバ、４６  ウエハ用リフトピン、４７  視野絞り、４８  開口絞り、５０  第１落射照明部、５１  照明光源、４２、４４、５２、５３，５７，５８  レンズ、４５  コリメータレンズ、５５  第２落射照明部、５６  照明光源、６０  位置ずれ量算出部、６５  反射ミラー、６６  第４ハーフミラー、７０  位置検出装置、１００  ウエハ貼り合わせ装置、１１０  ウエハストッカー、１２０  ウエハプリアライメント装置、１３０    ウエハホルダストッカー、１４０  ウエハホルダプリアライメント装置、１５０  アライナー、１５１  第１レーザー光波干渉式測長器、１５２  第２レーザー光波干渉式測長器、１５４  第１テーブル、１５３  第２駆動装置、１５５  第１駆動装置、１５６  第２テーブル、１６０  アライナー制御部、１７０  加熱加圧装置、１８０  分離冷却ユニット、１８５  貼り合わせウエハ用ストッカー、１９０  主制御装置、２５０  アライナー、２５４  第１テーブル、２５６  第２テーブル、２６５  反射ミラー、３５０  アライナー、３５４  第１テーブル、３５６  第２テーブル、３６５  第５ハーフミラー、ＡＭ  アライメントマーク、ＣＨ  半導体チップ領域、ＥＬ  印加電極、ＦＭ  フィディシャルマーク、ＮＣ  ノッチ、ＮＴ  切り欠け部、ＯＡ１、ＯＡ２、ＯＡ４  光軸、ＯＤ、ＯＲ１、ＯＲ２  光束、Ｐ  ピンホール、ＳＡ  遮光領域、Ｗ  半導体ウエハ（Ｗ１  第１ウエハ、Ｗ２  第２ウエハ）、ＷＨ  ウエハホルダ（ＷＨ１  第１ウエハホルダ、ＷＨ２  第２ウエハホルダ）、ＷＬ  ウエハローダ、ＷＨＬ  ウエハホルダローダ
【発明を実施するための最良の形態】
【００１７】
＜＜第１実施形態＞＞
＜位置検出装置７０＞
図１は位置検出装置７０の概略側面図である。位置検出装置７０は図１に示すように、重ね合わせる２枚の第１ウエハＷ１及び第２ウエハＷ２を図面の中央に配置すると、第１ウエハＷ１及び第２ウエハＷ２の下部には第１位置検出装置１０を備え、第１ウエハＷ１及び第２ウエハＷ２の上部には第２位置検出装置２０を備えている。
【００１８】
第１位置検出装置１０は第１対物光学部１１と、調整光学系４０と、第１落射照明部５０と、第１撮像部１２とから構成される。第２位置検出装置２０は第２対物光学部２１と、第２落射照明部５５と、第２撮像部２２とから構成される。第１撮像部１２と第２撮像部２２とには、コンピュータなどからなる位置ずれ量算出部６０と接続されている。また位置ずれ量算出部６０は、第２対物光学部２１をＸＹ平面で移動させる駆動部６９に接続されている。
【００１９】
第１位置検出装置１０の第１対物光学部１１は、第１ウエハＷ１側の第１対物レンズ１３と、第１撮像部１２側の第１結像レンズ１４とを有している。第１対物レンズ１３と第１結像レンズ１４との間には調整光学系４０からの光を反射する第１ハーフミラー１５と、第１落射照明部５０からの光を反射する第２ハーフミラー１６とが配置されている。なお、以下の実施形態において「レンズ」については、単レンズによって構成されていても、複数枚のレンズ群によって構成されていても、光学系を構成すればいずれであっても良い。
【００２０】
第１位置検出装置１０の第１落射照明部５０は照明光源５１と、レンズ５２と、レンズ５３とから構成されている。照明光源５１は可視光であり、レンズ５２及びレンズ５３を通過して平行光となり、第１対物光学部１１内の第２ハーフミラー１６に反射して第１ウエハＷ１方向に進む。視野絞りと開口絞りを描いていないが、第１落射照明部５０は第１ウエハＷ１のアライメントマーク及びその周辺を可視光でケーラー照明している。
【００２１】
第１ウエハＷ１で反射された照明光は、第１対物レンズ１３を通過して第１ハーフミラー１５及び第２ハーフミラー１６を透過し、第１結像レンズ１４により、ＣＣＤカメラなどの第１撮像部１２に結像する。このようにして、第１ウエハＷ１のアライメントマークなどの像が観察される。
【００２２】
第２位置検出装置２０の第２対物光学部２１は、第２ウエハＷ２側に第２対物レンズ２３と、第２撮像部２２側に第２結像レンズ２４とを有している。第２対物レンズ２３と第２結像レンズ２４との間には、第２落射照明部５５からの光を反射する第３ハーフミラー２５が配置されている。
【００２３】
第２位置検出装置２０の第２落射照明部５５は、照明光源５６と、レンズ５７とレンズ５８とから構成されている。照明光源５６は可視光であり、レンズ５７及びレンズ５８を通過して平行光となり、第２対物光学部２１内の第３ハーフミラー２５に反射して第２ウエハＷ２方向に進み、第２ウエハＷ２のアライメントマーク及びその周辺を可視光で照明している。
【００２４】
第２ウエハＷ２で反射された照明光は、第２対物レンズ２３を通過して第３ハーフミラー２５を透過し、第２結像レンズ２４により第２撮像部２２に結像する。このようにして、第２ウエハＷ２のアライメントマークなどの像が観察される。
【００２５】
第１対物光学部１１及び第２対物光学部２１が、それぞれ第１ウエハＷ１のアライメントマーク及び第２ウエハＷ２のアライメントマークを観察するときに、第１対物光学部１１の光軸ＯＡ１と第２対物光学部２１の光軸ＯＡ２とが位置ずれ（ＸＹ方向）していると、正確に第１ウエハＷ１と第２ウエハＷ２との位置関係が判断できない。
【００２６】
このため、調整光学系４０が射出する基準光を使って第１対物光学部１１の光軸ＯＡ１と第２対物光学部２１の光軸ＯＡ２と位置ずれ量（ＸＹ方向）を測定する。第１対物光学部１１側に設けられた調整光学系４０は、光源４１とレンズ４２と、ファイバ４３と、レンズ４４と、コリメータレンズ４５と、ピンホールなどの視野絞り４７と、開口絞り４８とから構成されている。調整光学系４０は第２対物光学部２１側に設けられてもよい。光源４１からの光は可視光又は可視光波長内の単波長の光である。
【００２７】
第１対物光学部１１の光軸ＯＡ１と第２対物光学部２１の光軸ＯＡ２との位置ずれ量は以下のようにして測定することができる。なお、以下の説明は調整光学系４０の光軸ＯＡ４と第１対物光学部１１の光軸ＯＡ１とが一致していることが前提となっている。
【００２８】
まず、第１対物光学部１１の光軸ＯＡ１と第２対物光学部２１との間の光路から、第１ウエハＷ１及び第２ウエハＷ２が取り外される。そして光源４１が点灯し、光源４１からの基準光はレンズ４２により集光されてファイバ４３に入射する。ファイバ４３内を通過した可視光はレンズ４４に向けて射出され、視野絞り４７を通過した後コリメータレンズ４５を通過して平行光となる。開口絞り４８を通過した基準光は、第１対物光学部１１内の第１ハーフミラー１５で反射する。第１ハーフミラー１５で反射した基準光は、第２ハーフミラー１６を透過し、第１対物レンズ１３を通過して第２対物レンズ２３に進む。さらに基準光は、第２対物レンズ２３を通過し、第３ハーフミラー２５を透過して第２撮像部２２に入射する。第２撮像部２２における基準光の入射位置の画像信号は位置ずれ量算出部６０に送られる。位置ずれ量算出部６０は、基準光の画像信号から第２対物光学部２１の光軸ＯＡ２がどれだけ位置ずれしているかを算出する。位置ずれ量算出部６０はこの位置ずれ量を駆動部６９に送り、駆動部６９は第２対物光学部２１をＸＹ方向に移動させ、調整光学系４０の光軸ＯＡ４と第２対物光学部２１の光軸ＯＡ２との位置ずれ量を調整する。調整光学系４０の光軸ＯＡ４と第１対物光学部１１の光軸ＯＡ１とがすでに一致していることから、第１対物光学部１１の光軸ＯＡ１と第２対物光学部２１の光軸ＯＡ２とが調整されたことになる。
【００２９】
第１対物光学部１１の光軸ＯＡ１と第２対物光学部２１の光軸ＯＡ２とが、絶対基準のＺ軸から倒れていた場合でも、例えば第１対物レンズ１３及び第２対物レンズ２３の集光位置が合っていれば、第１撮像部１２及び第２撮像部２２で測定される基準光のずれが生じないので、光軸の倒れに影響されずに光軸ずれが測定できる。
【００３０】
また、位置検出装置７０は試料の厚さが厚い場合には、第１対物レンズ１３と第２対物レンズ２３との焦点面が光軸方向に離れることになるが、基準光が細いために焦点面の離れが影響しないで第１対物レンズ１３から第２対物レンズ２３へと基準光が通過する。つまり、試料の厚さが厚い場合においても位置検出装置７０は光軸ずれを精密測定できる。
【００３１】
なお、上述においては、第１ハーフミラー１５が第１対物光学部１１内に配置されるものとして説明したが、例えば第１対物レンズ１３と第２対物レンズ２３の間であって、基準光を反射ミラー６５側へ反射できる位置に配置されるように、調整光学系４０を構成しても良い。
【００３２】
図２は、位置ずれ量を測定し、その位置ずれ量を補正するフローチャートである。以下はフローチャートを用いて説明する。
【００３３】
ステップＳ０１からステップＳ０６において、最初に調整光学系４０の光軸ＯＡ４と第１対物光学部１１の光軸ＯＡ１とが一致しているかを計測する。
ステップＳ０１において、第１ウエハＷ１及び第２ウエハＷ２の代わりに反射ミラー６５（図１参照）を挿入する。反射ミラー６５の反射面は第１位置検出装置１０の第１撮像部１２側に向いている。なお、反射ミラー６５は水平が保たれていれば良く、Ｚ方向の位置に関して影響がない。
【００３４】
ステップＳ０２において、位置ずれ量算出部６０は調整光学系４０の光源４１を点灯させる。光源４１を点灯させることで、視野絞り４７を通過した基準光が第１ハーフミラー１５に反射して、第２ハーフミラー１６、第１対物レンズ１３の順に通過して、挿入した反射ミラー６５に投影される。反射ミラー６５に投影された基準光は第１撮像部１２側に反射して、第１対物レンズ１３、第２ハーフミラー１６、第１ハーフミラー１５、第１結像レンズ１４の順に通過して第１撮像部１２側に入射する。
【００３５】
ステップＳ０３において、位置ずれ量算出部６０は第１撮像部１２で検出した基準光から、第１対物光学部１１の光軸ＯＡ１と調整光学系４０の光軸ＯＡ４との位置ずれ量を算出する。基準光は細い光で形成されているので、距離及びレンズを通過しても、基準光による像の径があまり変化しない。また、径が拡大したとしても位置ずれ量算出部６０は像の中心の位置を計測することで、正確に中心位置を計測することができ、第１撮像部１２の中心位置と比較することができる。
【００３６】
ステップＳ０４において、位置ずれ量算出部６０は第１対物光学部１１の光軸ＯＡ１と調整光学系４０の光軸ＯＡ４との位置ずれが発生しているかを判断する。位置ずれが発生している場合であればステップＳ０５へ進み位置ずれを修正する。位置ずれが発生していない場合はステップ０６へ移る。
【００３７】
ステップＳ０５において、位置ずれ量算出部６０は第１対物光学部１１の第１ハーフミラー１５の角度を調整する。これにより、位置ずれ量算出部６０は反射ミラー６５に投影されたピンホール像の中心位置と第１撮像部１２の中心位置とを合致させることができ、第１位置検出装置１０の位置調整をすることができる。第１ハーフミラー１５の角度を調整するのではなく、位置ずれ量算出部６０は視野絞り４７を光源４１からの光路に交差する方向に移動させて調整することもできる。
【００３８】
ステップＳ０６において、位置ずれ量算出部６０はステップＳ０１で挿入した反射ミラー６５を退避させる。反射ミラー６５を退避させることにより、基準光は第２位置検出装置２０に入射する。
【００３９】
ステップＳ０７において、位置ずれ量算出部６０は第２位置検出装置２０に入射した基準光から、第２対物光学部２１の光軸ＯＡ２と調整光学系４０の光軸ＯＡ４との位置ずれ量を算出する。基準光は第２対物光学部２１の第２対物レンズ２３、第３ハーフミラー２５、第２結像レンズ２４の順に通過し、その基準光の像を第２撮像部２２で検出する。
【００４０】
ステップＳ０８において、位置ずれ量算出部６０は第２対物光学部２１の光軸ＯＡ２と調整光学系４０の光軸ＯＡ４との位置ずれが発生しているかを判断する。位置ずれが発生している場合はステップＳ０９へ進み位置ずれを修正する。位置ずれが発生していない場合はステップ１０へ移る。
【００４１】
ステップＳ０９において、位置ずれ量算出部６０は第２対物光学部２１の光軸ＯＡ２と調整光学系４０の光軸ＯＡ４とを一致させるように調整する。第２対物光学部２１の調整は、駆動部６９が第２対物光学部２１をＸＹ方向に移動させることで、光源４１からの基準光の中心位置と第２撮像部２２の中心位置とを合致させることができる。
【００４２】
ステップＳ１０において、位置ずれ量算出部６０は調整光学系４０の光源４１を消灯させる。第１対物光学部１１の光軸ＯＡ１と第２対物光学部２１の光軸ＯＡ２との位置調整が終了したので、必要のない光源４１を消灯する。
【００４３】
以上より、位置検出装置７０は第１位置検出装置１０の計測値と第２位置検出装置２０の計測値とがずれることなく正確な値で位置を検出することができる。このため、位置検出装置７０は次に説明するウエハ貼り合せ装置において効果を発揮する。
【００４４】
なお、本実施形態では図２のフローチャートのステップＳ０７からステップＳ１０までのステップにより、第２対物光学部２１の光軸ＯＡ２と調整光学系４０の光軸ＯＡ４との位置ずれを、駆動部６９で第２対物光学部２１を移動させて修正した。しかし、駆動部６９を第１対物光学部１１に設けて第１対物光学部１１を移動させて修正するように構成しても良い。また、駆動部６９で第２対物光学部２１を移動させることなく、ステップＳ０７でピンホール像の中心位置と第２撮像部２２の中心位置との位置ずれ量を計測して、位置ずれ量を補正値として、第２位置検出装置２０または第１位置検出装置１０の少なくとも一方の計測値に補正値を加える方法でもよい。この場合はステップＳ０９において駆動部６９で第２対物光学部２１を移動させる必要がないので、処理工程が短くて済む。
【００４５】
図３は、基準光を形成する視野絞り４７の例を示した図である。
図３（ａ）で示される視野絞り４７は、遮光領域ＳＡの中央にピンホールＰを空けた視野絞り４７である。遮光領域ＳＡの中央にピンホールＰを空けた視野絞り４７は、第１撮像部１２及び第２撮像部２２において円形の像となって結像される。このため基準光の中心を求めるには、例えば円形の像の重心を計測すればよい。
【００４６】
図３（ｂ）に示される視野絞り４７は、遮光領域ＳＡに十字状のスリットＳを形成した視野絞り４７である。この十字状のスリットＳを形成した視野絞り４７は、第１撮像部１２及び第２撮像部２２において十字状の像となって結像される。このため基準光の中心を求めるには、例えば十字状の像の中心が計測される。
【００４７】
図３（ｃ）に示される視野絞り４７は、遮光領域ＳＡに４つの開口部ＨＯを形成した視野絞り４７である。この４つの開口部ＨＯの中心が調整光学系４０の光軸ＯＡ４の中心となっている。この４つの開口部ＨＯを形成した視野絞り４７は、第１撮像部１２及び第２撮像部２２において４つの点像となって結像される。このため基準光の中心を求めるには、例えば４つの点像の重心を計測すればよい。４つの開口部ＨＯでなく、３以上の開口であれば調整光学系４０の光軸ＯＡ４を求めることができる。
【００４８】
また、第１位置検出装置１０の調整光学系４０は視野絞り４７を用いて細い基準光を形成したが、細い基準光を得るために可視光の指向性の高いレーザー光を用いても良い。この場合のレーザー光はビームエキスパンダを介して直接平行光束を第１対物光学部１１内の第１ハーフミラー１５に入射させる。
【００４９】
＜＜第２実施形態＞＞
＜ウエハ貼り合わせ装置の全体構成＞
図４はウエハ貼り合わせ装置１００の上面概略図である。
ウエハ貼り合わせ装置１００は、ウエハローダＷＬ及びウエハホルダローダＷＨＬを有している。ウエハローダＷＬ及びウエハホルダローダＷＨＬは、多関節ロボットであり六自由度方向（Ｘ，Ｙ，Ｚ，θＸ，θＹ，θＺ）に移動できる。さらにウエハローダＷＬはレールＲＡに沿ってＹ方向に長い距離を移動でき、ウエハホルダローダＷＨＬはレールＲＡに沿ってＸ方向に長い距離を移動できる。
【００５０】
ウエハ貼り合わせ装置１００は、半導体ウエハＷを複数枚収納するウエハストッカー１１０を有している。ウエハ貼り合わせ装置１００は、第１ウエハＷ１と第２ウエハＷ２とを貼り合わせるので、第１ウエハＷ１を収納するウエハストッカー１１０−１と第２ウエハＷ２を収納するウエハストッカー１１０−２とが用意されている。また、ウエハストッカー１１０の近郊に半導体ウエハＷをプリアライメントするウエハプリアライメント装置１２０が設けられている。ウエハローダＷＬによりウエハストッカー１１０から取り出された半導体ウエハＷがウエハプリアライメント装置１２０に送られる。さらに、ウエハ貼り合わせ装置１００は、ウエハホルダＷＨを複数枚収納するウエハホルダストッカー１３０と、ウエハホルダＷＨをプリアライメントするウエハホルダプリアライメント装置１４０と、２枚の半導体ウエハＷを半導体チップの線幅精度で重ね合わせるアライナー１５０と、加熱加圧装置１７０と、分離冷却ユニット１８０と、主制御装置１９０とで構成されている。
【００５１】
半導体ウエハＷは、図５で示すようにその周囲の一部に半導体ウエハＷの結晶方向性を示すノッチＮＣが形成されている。また、貼り合わせられる半導体ウエハＷには数十ショット〜数百ショット程度に半導体チップ領域ＣＨが形成されている。半導体チップ領域ＣＨの周辺には、フォトリソグラフィ工程にてアライメントマークＡＭが複数形成されている。アライメントマークＡＭは十字形状及び円形状で形成されている。
【００５２】
ウエハプリアライメント装置１２０は、図示しないアライメントカメラで２箇所以上のアライメントマークＡＭを観察し、半導体ウエハＷがステージの所定位置からのＸ方向、Ｙ方向及びθ方向のズレ量を計算し、半導体ウエハＷをプリアライメントする。ウエハプリアライメント装置１２０は半導体ウエハＷを設計基準値から１０μｍから５０μｍの範囲に位置決めされる。
【００５３】
なお、ウエハプリアライメント装置１２０は設計上のアライメントマークＡＭと、アライメントカメラによって観察された実際のアライメントマークＡＭとの関係において、その重ね合わせ誤差がどの半導体チップ領域ＣＨに関しても平均的に小さくなるように、最小二乗法を用いて設計上の半導体チップ領域ＣＨ配列を補正して、実際の半導体チップ領域ＣＨの位置を求めている。
【００５４】
再び図４に戻り、ウエハホルダストッカー１３０は、ウエハホルダＷＨを複数枚収納することができる。ウエハホルダＷＨは薄い半導体ウエハＷを支持するためである。ウエハホルダＷＨは第１ウエハＷ１用の第１ウエハホルダＷＨ１を有し、第２ウエハＷ２に対しても第２ウエハホルダＷＨ２を有している。このため、ウエハ貼り合わせ装置１００は第１ウエハホルダＷＨ１用と、第２ウエハホルダＷＨ２用とのウエハホルダストッカー１３０を収容するか、ウエハホルダストッカー１３０内部を分割するなどして第１ウエハホルダＷＨ１と第２ウエハホルダＷＨ２とを分ける。ウエハホルダＷＨを分けることはウエハホルダＷＨに固定機能を内蔵させる場合などに対応できる。
【００５５】
ウエハホルダＷＨは半導体ウエハＷを吸着し、ウエハ同士を貼り合わすための支持体として利用され、繰り返し何度も使用される部品である。ウエハホルダＷＨは、アルミナ（Ａｌ２Ｏ３）又は窒化アルミニウム（ＡｌＮ）などのセラミック材料から構成される。特に窒化アルミニウムは熱伝導率が高いので半導体ウエハＷの加熱又は冷却に適している。
【００５６】
ウエハ貼り合わせ装置１００は、ウエハホルダストッカー１３０の近郊にウエハホルダＷＨをプリアライメントするウエハホルダプリアライメント装置１４０が設けられている。ウエハホルダローダＷＨＬによりウエハホルダストッカー１３０から取り出されたウエハホルダＷＨがウエハホルダプリアライメント装置１４０に送られる。
【００５７】
図６（ａ）はウエハホルダＷＨの上面図であり、図６（ｂ）は図６（ａ）のＡ−Ａ断面図である。図６（ａ）で示すように、ウエハホルダＷＨは円形で一部に切り欠け部ＮＴが形成されて、周囲に２箇所のフィディシャルマークＦＭを有している。ウエハホルダＷＨのフィディシャルマークＦＭは、石英ガラスの母材にクロムなどで描かれている。すなわちフィディシャルマークＦＭはウエハホルダＷＨの表側及び裏側からでも観察することができる。また、フィディシャルマークＦＭはウエハホルダＷＨの中心を対称に一対設けられており、十字形状又は円形状のマークが形成されている。ウエハホルダＷＨは絶縁体であるアルミナセラミックで構成され、図６（ｂ）で示すように、ウエハホルダＷＨの中央内部には、半導体ウエハＷを静電吸着するための印加電極ＥＬが内蔵されている。ウエハホルダＷＨの表面は研磨されており、その中央で半導体ウエハＷを静電吸着する。
【００５８】
ウエハホルダプリアライメント装置１４０はアライメントカメラで２つのフィディシャルマークＦＭを観察し、ウエハホルダＷＨがステージの所定位置からＸ方向、Ｙ方向及びθ方向のずれ量を修正する。これによりプリアライメントされたウエハホルダＷＨは、設計基準値から１０μｍ以下から５０μｍの範囲に位置決めされる。
【００５９】
ウエハホルダＷＨは、正しい位置にプリアライメントされ、その位置で待機状態となる。ウエハホルダＷＨから３箇所のウエハ用リフトピン４６が上昇し、そこにウエハプリアライメント装置１２０からのプリアライメントされた半導体ウエハＷを所定の位置になるよう載置して、ウエハ用リフトピン４６を下降し、ウエハホルダＷＨは印加電極ＥＬに印加することによって半導体ウエハＷを静電吸着する。
【００６０】
以上の動作により、プリアライメントされたウエハホルダＷＨにプリアライメントされた半導体ウエハＷが精度良く載置される。つまり、ウエハホルダＷＨのフィディシャルマークＦＭに対して半導体ウエハＷのアライメントマークＡＭを所定範囲内に位置決めすることができる。以上によりウエハホルダＷＨ上の半導体ウエハＷは、設計基準値から２０μｍから１００μｍの範囲に位置決めされる。このため、後述するアライナー１５０でフィディシャルマークＦＭを基準としてアライメントマークＡＭを検出するときに実施形態１で説明した位置検出装置７０でさらに精度よく観察することができる。
【００６１】
アライナー１５０にはウエハホルダプリアライメント装置１４０から半導体ウエハＷを載置したウエハホルダＷＨがウエハホルダローダＷＨＬにより送られてくる。アライナー１５０は第１実施形態で示した位置検出装置７０を設置することで、効率よく半導体チップの線幅精度で第１ウエハＷ１と第２ウエハＷ２とを重ね合わせることができる。線幅精度で第１ウエハＷ１と第２ウエハＷ２とを重ね合わせた後は、位置がずれないように予備加圧をかけて固定具で保持する。固定具で保持した第１ウエハホルダＷＨ１と第２ウエハホルダＷＨ２とはウエハホルダローダＷＨＬにより加熱加圧装置１７０に送られる。なお、アライナー１５０の詳細な説明は後述する。
【００６２】
ウエハ貼り合わせ装置１００の加熱加圧装置１７０では、真空雰囲気にしたあと加熱加圧することで第１ウエハＷ１と第２ウエハＷ２とを精度良く貼り合わせをすることができる。
【００６３】
ウエハ貼り合わせ装置１００の分離冷却ユニット１８０は、貼り合わされた半導体ウエハＷをウエハホルダＷＨから外すとともに、貼り合わされた半導体ウエハＷを所定温度まで冷却する。冷却された半導体ウエハＷはウエハローダＷＬにより分離冷却ユニット１８０から取り出され、貼り合わせウエハ用ストッカー１８５に送られる。冷却されたウエハホルダＷＨはウエハホルダローダＷＨＬにより分離冷却ユニット１８０から取り出され、再びウエハホルダストッカー１３０に戻される。
【００６４】
ウエハ貼り合わせ装置１００の主制御装置１９０は、ウエハローダＷＬ、ウエハホルダローダＷＨＬ、ウエハプリアライメント装置１２０、及びウエハホルダプリアライメント装置１４０などの各装置を制御する制御装置と信号の受け渡しを行い全体の制御を行う。
【００６５】
＜アライナー１５０の構成＞
図７は、アライナー１５０を横から見た構成図である。アライナー１５０は、第１テーブル１５４と第２テーブル１５６とを有しており、第１テーブル１５４の上部に第１駆動装置１５５が設置され、第２テーブル１５６の下部に第２駆動装置１５３が設置されている。第１駆動装置１５５の横には第１レーザー光波干渉式測長器（以下、第１干渉計という）１５１が設置されており、第２駆動装置１５３の横には第２レーザー光波干渉式測長器（以下、第２干渉計という）１５２が設置されている。また、第１駆動装置１５５の横には天井に第２位置検出装置２０が２箇所設置されており、第２駆動装置１５３の横には床に第１位置検出装置１０が２箇所設置されている。アライナー１５０はアライナー制御部１６０を有していて、第１駆動装置１５５と第２駆動装置１５３とＺ方向の移動手段との制御、第１干渉計１５１と、第２干渉計１５２と、第１位置検出装置１０と第２位置検出装置２０との制御をしている。
【００６６】
第１テーブル１５４のホルダ保持面と第２テーブル１５６のホルダ保持面とは互いに向かい合うようになっている。第１ウエハＷ１は第１ウエハホルダＷＨ１に載置した状態で、第２ウエハＷ２は第２ウエハホルダＷＨ２に載置した状態で、ウエハホルダローダＷＨＬによってウエハホルダプリアライメント装置１４０からアライナー１５０に送られてくる。
【００６７】
第１ウエハホルダＷＨ１は第１テーブル１５４に固定され、第２ウエハホルダＷＨ２は第２テーブル１５６に固定される。つまり、第１ウエハＷ１と第２ウエハＷ２とは互いの重ね合わせ面が向かい合うようにセットされる。第１テーブル１５４は第１駆動装置１５５により少なくともＸ、Ｙ方向に移動させられ、第１テーブル１５４の移動量は第１干渉計１５１により測定される。第２テーブル１５６は第２駆動装置１５３により少なくともＸ、Ｙ方向に移動させられ、第２テーブル１５６の移動量は第２干渉計１５２により測定される。
【００６８】
第１位置検出装置１０及び第２位置検出装置２０とは天井及び床に固定されるので、移動しない。このため、第１実施形態で示した位置検出装置７０の位置調整が行われると、ウエハホルダＷＨのフィディシャルマークＦＭ及び半導体ウエハＷのアライメントマークＡＭを正確に検出することができ、検出位置における第１干渉計１５１及び第２干渉計１５２の値が信用できる。
【００６９】
本実施形態では第１テーブル１５４及び第２テーブル１５６の両側にそれぞれ２個の位置検出装置７０を天井及び床に配置されているので、テーブルの移動量はウエハの半径程度の移動量を持たせればよく、両側の位置検出装置７０を用いて効率よくフィディシャルマークＦＭ及びアライメントマークＡＭを計測していく。位置検出装置７０は倍率が約４０倍から１００倍程度であり、倍率が高い分視野が狭くなっている。
【００７０】
複数のアライメントマークＡＭ及びフィディシャルマークＦＭを精度よく計測した位置情報は、アライナー制御部１６０に送られ、第１ウエハＷ１と第２ウエハＷ２とが精度よく重なり合うよう配置させる。
【００７１】
半導体チップの線幅精度で第１ウエハＷ１と第２ウエハＷ２とが重なる位置に配置したアライナー１５０は、例えば、第１テーブル１５４をＺ方向に下降させることで、第１ウエハＷ１と第２ウエハＷ２と近接させる。
【００７２】
近接した第１ウエハＷ１と第２ウエハＷ２とは固定具で保持され、次の工程の加熱加圧装置１７０に送られる。
【００７３】
本実施形態のウエハ貼り合わせ装置１００はアライナー１５０において、第１実施形態の位置検出装置７０を用いることで、ウエハごとに位置検出装置７０の精度を調整することができるので、精密な貼り合わせを行うことができる。
【００７４】
図８はアライナー１５０の動作のフローチャートを示している。以下はフローチャートに基づいて動作の説明をする。
【００７５】
ステップＳ２１において、アライナー制御部１６０は第１位置検出装置１０と、第２位置検出装置２０とを作動させ、位置精度を調整する。位置精度に問題がある場合は、第１実施形態の位置ずれ量算出部６０により調整する。
【００７６】
ステップＳ２２において、アライナー制御部１６０はウエハホルダローダＷＨＬで搬送されてきた第１ウエハホルダＷＨ１を第１テーブル１５４の所定位置に保持する。
【００７７】
ステップＳ２３において、アライナー制御部１６０はウエハホルダローダＷＨＬで搬送されてきた第２ウエハホルダＷＨ２を第２テーブル１５６の所定位置に保持する。
【００７８】
ステップＳ２４において、アライナー制御部１６０は第１ウエハホルダＷＨ１のフィディシャルマークＦＭ及び第１ウエハＷ１のアライメントマークＡＭを第１位置検出装置１０で精密に計測する。フィディシャルマークＦＭ及びアライメントマークＡＭの観察には第１テーブル１５４を動かし、第１位置検出装置１０でフィディシャルマークＦＭ及びアライメントマークＡＭを捉え、その位置を第１干渉計１５１で計測する。なお、第１位置検出装置１０の視野を確保するために、第２テーブル１５６に保持した第２ウエハホルダＷＨ２を移動させて、第１位置検出装置１０の視野からはずす。例えば、アライナー制御部１６０は図７のＹ方向に第２ウエハホルダＷＨ２を移動させることで、円形の第２ウエハホルダＷＨ２が第１位置検出装置１０の視野から外れる。
【００７９】
ステップＳ２５において、アライナー制御部１６０は第２ウエハホルダＷＨ２のフィディシャルマークＦＭ及び第２ウエハＷ２のアライメントマークＡＭを第２位置検出装置２０で精密に計測する。フィディシャルマークＦＭ及びアライメントマークＡＭの観察には第２テーブル１５６を動かし、第２位置検出装置２０でフィディシャルマークＦＭ及びアライメントマークＡＭを捉え、その位置を第１干渉計１５１で計測する。なお、第２位置検出装置２０の視野を確保するために、第１テーブル１５４に保持した第１ウエハホルダＷＨ１を移動させて、第２位置検出装置２０の視野からはずす。例えば、アライナー制御部１６０は図７のＹ方向に第１ウエハホルダＷＨ１を移動させることで、円形の第１ウエハホルダＷＨ１が第２位置検出装置２０の視野から外れる。また、アライナー制御部１６０はウエハプリアライメント装置１２０でフィディシャルマークＦＭ及びアライメントマークＡＭの位置情報を得ているので、視野の狭い第１位置検出装置１０及び第２位置検出装置２０でもすばやく検出視野に移動させることができる。
【００８０】
ステップＳ２６において、アライナー制御部１６０は、第１ウエハＷ１上のアライメントマークＡＭと第２ウエハＷ２上のアライメントマークＡＭとの位置より半導体チップの線幅精度に重ね合わせ位置を調整する。このとき、アライナー制御部１６０は第１ウエハＷ１と第２ウエハＷ２とのアライメントマークＡＭの位置誤差が最小になるように最小自乗法で計算を行う。この結果に基づいて、第１位置検出装置１０が第２ウエハホルダＷＨ２のフィディシャルマークＦＭを観察しながら、また第２位置検出装置２０が第１ウエハホルダＷＨ１のフィディシャルマークＦＭを観察しながら、アライナー制御部１６０が第１テーブル１５４及び第２テーブル１５６を移動させる。
【００８１】
ステップＳ２７において、アライナー制御部１６０は、第１ウエハＷ１と第２ウエハＷ２とを近接させる。第１ウエハＷ１と第２ウエハＷ２とを近接するには、テーブル位置を保持したまま第１テーブル１５４または第２テーブル１５６をＺ方向に移動させる。この際も、第１位置検出装置１０が第２ウエハホルダＷＨ２のフィディシャルマークＦＭを観察している。また第２位置検出装置２０が第１ウエハホルダＷＨ１のフィディシャルマークＦＭを観察している。第１位置検出装置１０と第２位置検出装置２０との光軸が一致しているので、正確に第１ウエハホルダＷＨ１と第２ウエハホルダＷＨ２とを重ね合わせることができる。
【００８２】
ステップＳ２８において、アライナー制御部１６０は、固定具で第１ウエハホルダＷＨ１と第２ウエハホルダＷＨ２とを保持してずれないように固定する。保持した第１ウエハホルダＷＨ１と第２ウエハホルダＷＨ２とは、ウエハホルダローダＷＨＬによってアライナー１５０から加熱加圧装置１７０に送られる。
【００８３】
なお、第１実施形態の位置検出装置７０を本実施形態のアライナー１５０に用いる場合には、第２対物光学部２１を移動させる、または位置ずれ量を補正値として計測値に加える方法の他に、ステップＳ２６において、第１テーブル１５４または第２テーブル１５６の少なくとも一方の、ＸＹ方向の移動目標量に、位置ずれ量を補正値として加えても良い。
【００８４】
＜＜第３実施形態＞＞
第３実施形態は、第１実施形態の変形例である。具体的には、図１を用いて説明した位置検出装置７０のうち、第１位置検出装置１０の構成が若干異なる。
【００８５】
図９は、第１位置検出装置１０近傍の拡大概略側面図である。図１と共通の構成については、同一の符番を付してあるので、その説明を省略する。本実施形態における第１位置検出装置１０は、図１で示した第１位置検出装置１０と比較して、第１ハーフミラー１５に替えて、光軸ＯＡ１に対して進退可能なプリズム１７を備える点が異なる。プリズム１７は、進退機構を備えており、第１対物光学部１１の光軸ＯＡ１と第２対物光学部２１の光軸ＯＡ２との位置調整を行うときに、光軸ＯＡ１中に挿入される。そして、位置調整が終われば光軸ＯＡ１から退避される。図では、実線で示すプリズム１７が光軸ＯＡ１中に挿入された状態を表し、点線で示すプリズム１７が退避された状態を表す。プリズム１７の進退は、位置ずれ量算出部６０によって制御される。なお、プリズム１７は、ミラーを貼り合わせた三角ミラーであっても良い。
【００８６】
プリズム１７が光軸ＯＡ１中に挿入されると、プリズム１７は、調整光学系４０の開口絞り４８から射出した光束ＯＤを、第１撮像部１２側への光束ＯＲ１と、第２撮像部２２側への光束ＯＲ２に、分割して反射する。このとき光束ＯＲ１と光束ＯＲ２の光軸が一致するように、プリズム１７の反射面が形成されている。このように構成することで、調整光学系４０の光軸ＯＡ４と第１対物光学部１１の光軸ＯＡ１、及び第２対物光学部２１の光軸ＯＡ２の相対的な位置ずれ量を、第１対物光学部１１と第２対物光学部２１を対向させた状態で調整することができる。なお、プリズム１７は、例えば第１対物レンズ１３と第２対物レンズ２３の間に配置されるように、調整光学系４０を構成することもできる。また、プリズム１７に退避機構を設けるのではなく、第１対物光学部１１及び第２対物光学部２１に退避機構を設け、これを駆動することで、プリズム１７を光軸外へ相対的に退避させてもよい。具体的な調整方法を以下に説明する。
【００８７】
図１０は、プリズム１７を利用した、ずれ検出方法及びずれの補正方法のフローチャートである。以下はフローチャートを用いて説明する。
【００８８】
ステップＳ３１において、位置ずれ量算出部６０はプリズム１７を光軸ＯＡ１中に挿入する。このとき、反射された光束ＯＲ１の光軸が、概略光軸ＯＡ１と一致すると予測される位置にまで、プリズム１７を侵入させる。プリズム１７の挿入が完了すると、ステップＳ３２において、位置ずれ量算出部６０は調整光学系４０の光源４１を点灯させる。
【００８９】
光源４１を点灯させることで、視野絞り４７、開口絞り４８を通過した基準光である光束ＯＤの一部が、プリズム１７で反射して光束ＯＲ１となり、第１結像レンズ１４を通過して第１撮像部１２に入射する。光束ＯＲ１は、第１撮像部１２に入射する基準光である。同時に、光束ＯＤの一部が、プリズム１７で反射して光束ＯＲ２となり、第１対物レンズ１３、第２対物レンズ２３、第２結像レンズ２４を通過して第２撮像部２２に入射する。光束ＯＲ２は、第２撮像部２２に入射する基準光である。
【００９０】
ここではまず、調整光学系４０の光軸ＯＡ４と第１対物光学部１１の光軸ＯＡ１とが一致しているかを計測する。第１対物光学部の光軸ＯＡ１は、第１撮像部１２の中心位置と予め一致するように調整されているので、光軸ＯＡ４と第１撮像部１２の中心位置とを比較すれば良い。ステップＳ３４において、位置ずれ量算出部６０は第１撮像部１２で検出した基準光である光束ＯＲ１から、第１対物光学部１１の光軸ＯＡ１と調整光学系４０の光軸ＯＡ４との位置ずれ量を算出する。基準光は細い光で形成されているので、距離及びレンズを通過しても、基準光による像の径があまり変化しない。また、径が拡大したとしても位置ずれ量算出部６０は像の中心の位置を計測することで、正確に中心位置を計測することができ、第１撮像部１２の中心位置と比較することができる。
【００９１】
ステップＳ３４において、位置ずれ量算出部６０は第１対物光学部１１の光軸ＯＡ１と調整光学系４０の光軸ＯＡ４との位置ずれが発生しているかを判断する。位置ずれが発生している場合であればステップＳ３５へ進み位置ずれを修正する。位置ずれが発生していない場合はステップＳ３６へ移る。
【００９２】
ステップＳ３５において、位置ずれ量算出部６０は視野絞り４７を光源４１からの光路に交差する方向に移動させて調整する。これにより、位置ずれ量算出部６０は光束ＯＲ１の中心位置と第１撮像部１２の中心位置とを合致させることができ、第１位置検出装置１０の位置調整をすることができる。
【００９３】
続いてステップＳ３６において、位置ずれ量算出部６０は第２位置検出装置２０に入射した基準光である光束ＯＲ２から、第２対物光学部２１の光軸ＯＡ２と調整光学系４０の光軸ＯＡ４との位置ずれ量を算出する。この時点では、第１対物光学部１１の光軸ＯＡ１と調整光学系４０の光軸ＯＡ４との位置ずれは既に調整されている。また、光束ＯＲ１と光束ＯＲ２のそれぞれの光軸が一致するように、プリズム１７の反射面が形成されている。さらに、第２対物光学部の光軸ＯＡ２は、第２撮像部２２の中心位置と予め一致するように調整されている。したがって、基準光である光束ＯＲ２の像の中心位置と第２撮像部２２の中心位置と比較すれば、第２対物光学部２１の光軸ＯＡ２と調整光学系４０の光軸ＯＡ４との位置ずれ量を算出することができ、結果として、光軸ＯＡ１との位置ずれ量を算出することができる。
【００９４】
ステップＳ３７において、位置ずれ量算出部６０は第２対物光学部２１の光軸ＯＡ２と調整光学系４０の光軸ＯＡ４との位置ずれが発生しているかを判断する。位置ずれが発生している場合はステップＳ３８へ進み位置ずれを修正する。位置ずれが発生していない場合はステップＳ３９へ移る。
【００９５】
ステップＳ３８において、位置ずれ量算出部６０は第２対物光学部２１の光軸ＯＡ２と調整光学系４０の光軸ＯＡ４とを一致させるように調整する。第２対物光学部２１の調整は、駆動部６９が第２対物光学部２１をＸＹ方向に移動させることで、光束ＯＲ２の像の中心位置と第２撮像部２２の中心位置とを合致させることができる。
【００９６】
ステップＳ３９において、位置ずれ量算出部６０は調整光学系４０の光源４１を消灯させる。そして、ステップＳ４０において、位置ずれ量算出部６０はプリズム１７を光軸ＯＡ１から退避させる。
【００９７】
以上より、位置検出装置７０は第１位置検出装置１０の計測値と第２位置検出装置２０の計測値とがずれることなく正確な値で位置を検出することができる。このため、位置検出装置７０は上述のウエハ貼り合せ装置において効果を発揮する。
【００９８】
なお、本実施形態では図１０のフローチャートのステップＳ３６からステップＳ４０までのステップにより、第２対物光学部２１の光軸ＯＡ２と調整光学系４０の光軸ＯＡ４との位置ずれを、駆動部６９で第２対物光学部２１を移動させて修正した。しかし、駆動部６９を第１対物光学部１１に設けて第１対物光学部１１を移動させて修正するように構成しても良い。また、駆動部６９で第２対物光学部２１を移動させることなく、ステップＳ３６でピンホール像の中心位置と第２撮像部２２の中心位置との位置ずれ量を計測して、位置ずれ量を補正値として、第２位置検出装置２０または第１位置検出装置１０の少なくとも一方の計測値に補正値を加える方法でもよい。この場合はステップＳ３８において駆動部６９で第２対物光学部２１を移動させる必要がないので、処理工程が短くて済む。
【００９９】
また、本実施形態ではステップＳ３５により、第１対物光学部１１の光軸ＯＡ１と調整光学系４０の光軸ＯＡ４との位置ずれを、視野絞り４７を移動させて修正した。しかし、光束ＯＲ１と光束ＯＲ２のそれぞれの光軸は一致しているのであるから、視野絞り４７を移動させることなく、光束ＯＲ１の像の中心位置と第１撮像部１２の中心位置の相対関係が、光束ＯＲ２の像の中心位置と第２撮像部２２の中心位置の相対関係と等しくなるように、駆動部６９で第２対物光学部２１を移動させて修正しても良い。この場合はステップＳ３５において視野絞り４７を移動させる必要がないので、処理工程が短くて済む。
【０１００】
さらには、光束ＯＲ１の像の中心位置と第１撮像部１２の中心位置の相対関係、及び光束ＯＲ２の像の中心位置と第２撮像部２２の中心位置の相対関係から、光束ＯＲ１の光軸と光束ＯＲ２の光軸の相対的なずれ量が算出できるので、これを補正値として、第２位置検出装置２０または第１位置検出装置１０の少なくとも一方の計測値に補正値を加える方法でもよい。この場合は、ステップＳ３８において駆動部６９で第２対物光学部２１を移動させる必要がなく、かつ、ステップＳ３５において視野絞り４７を移動させる必要がないので、処理工程がより短くて済む。
【０１０１】
＜＜第４実施形態＞＞
第４実施形態は、第１実施形態の変形例である。具体的には、反射ミラー６５の代わりに、第１位置検出装置１０の先端にハーフミラーを備える点が異なる。図１と共通の構成については、同一の符番を付してあるので、その説明を省略する。
【０１０２】
図１１は、第１位置検出装置１０の第１ウエハＷ１側の先端の拡大斜視図である。図示するように、第１位置検出装置１０の第１ウエハＷ１側の先端において、第１対物レンズ等を収容する鏡筒にハーフミラーホルダ１９が備え付けられている。そして、ハーフミラーホルダ１９は、第１ハーフミラー１５によって反射された調整光学系４０からの基準光が反射される位置であって、その表面が基準光の焦点面近傍となるように、第４ハーフミラー６６を保持する。すなわち、第４ハーフミラー６６は、光軸ＯＡ１に対しても固定されている。
【０１０３】
このように構成すると、第１ハーフミラー１５によって反射された基準光は、第２ハーフミラー１６、第１対物レンズ１３の順に通過して、第４ハーフミラー６６に投影される。第４ハーフミラー６６に投影された基準光はその一部が第１撮像部１２側に反射して、第１対物レンズ１３、第２ハーフミラー１６、第１ハーフミラー１５、第１結像レンズ１４の順に通過して第１撮像部１２側に入射する。同時に、第４ハーフミラー６６に投影された基準光はその一部が第２撮像部２２側に透過して、第２対物光学部２１の第２対物レンズ２３、第３ハーフミラー２５、第２結像レンズ２４の順に通過し、第２撮像部２２側に入射する。
【０１０４】
したがって、第１対物光学部１１と調整光学系４０との位置ずれの検出及び調整において、反射ミラー６５の挿入及び退避のような駆動作業を伴うことなく、図２のフローチャートと同等の処理を行うことができる。具体的には、図２のフローチャートにおいて、ステップＳ０１及びステップＳ０６を省略することができる。
【０１０５】
なお、第４ハーフミラー６６の表面が基準光の焦点面近傍となるように第４ハーフミラー６６を保持するが、観察する第１ウエハＷ１とは干渉しないように保持する。したがって、第１ウエハＷ１の表面と、第４ハーフミラー６６の表面は、同一平面内になることはないが、第１撮像部１２に備えられたオートフォーカス機構により、第１撮像部１２はそれぞれの表面に焦点を調整することができる。
【０１０６】
以上より、位置検出装置７０は第１位置検出装置１０の計測値と第２位置検出装置２０の計測値とがずれることなく正確な値で位置を検出することができる。このため、位置検出装置７０は上述のウエハ貼り合せ装置において効果を発揮する。
【０１０７】
なお、上述においては、第１ハーフミラー１５が第１対物光学部１１内に配置されるものとして説明したが、例えば第１対物レンズ１３と第２対物レンズ２３の間であって、基準光を第４ハーフミラー６６側へ反射できる位置に配置されるように、調整光学系４０を構成しても良い。
【０１０８】
＜＜第５実施形態＞＞
第５実施形態は、第２実施形態の変形例である。第２実施形態とは、図７を用いて説明したアライナー１５０の構成が若干異なる。
【０１０９】
図１２は、本実施形態におけるアライナー２５０の側面の構成図である。図７と共通の構成については、同一の符番を付してあるので、その説明を省略する。本実施形態においては、第１テーブル２５４と第２テーブル２５６が、第２実施形態の第１テーブル１５４と第２テーブル１５６に比べて大きく構成されている。そして、第１テーブル２５４上に、第２テーブル２５６に対向して第２位置検出装置２０が設置されている。つまり、第２位置検出装置２０は、第１テーブル２５４に対して、相対的に固定されている。同様に、第２テーブル２５６上に、第１テーブル２５４に対向して第１位置検出装置１０が設置されている。つまり、第１位置検出装置１０は、第２テーブル２５６に対して、相対的に固定されている。すなわち、第１位置検出装置１０は、第２テーブル２５６の移動と共にＸ方向、Ｙ方向、Ｚ方向に移動し、第２位置検出装置２０は、第１テーブル２５４の移動と共にＸ方向、Ｙ方向、Ｚ方向に移動する。
【０１１０】
また、第１テーブル２５４上において、ＸＹ平面に投影したときに、第２位置検出装置２０の第２対物レンズ２３の光軸と第１ウエハＷ１の載置面の間に位置するように、反射ミラー２６５が設置されている。特に、反射ミラー２６５の反射面は、第１ウエハＷ１の表面と略同一平面内に位置するように調整されている。したがって、反射ミラー２６５は、Ｚ方向に見た場合、第１対物レンズ１３と第２対物レンズ２３との間に配置されるが、第１対物レンズ１３と第２対物レンズ２３が略同軸上に対向した状態で、反射ミラー２６５がその間に挿入されることはない。なお、図示するように、反射ミラー２６５は、２個の第１位置検出装置１０に対応して２個設置されている。
【０１１１】
第１実施形態においては、第１対物光学部１１と調整光学系４０との位置ずれを検出するために、反射ミラー６５を挿入し、第２対物光学部２１と調整光学系４０との位置ずれを検出するために、反射ミラー６５を退避した。本実施形態においては、反射ミラー２６５を第１テーブル２５４に設置することで、第１テーブル２５４のＸ方向、Ｙ方向への移動を利用して、反射ミラー２６５を第１対物光学部１１及び第１対物レンズ１３の光軸ＯＡ１内に対して挿入、退避する。このように構成することで、図２を用いて説明したずれ検出方法及びずれの補正方法のフローチャートに則った処理を、そのまま適用することができる。
【０１１２】
このとき、第２対物光学部２１と調整光学系４０との位置ずれを検出した場合に、調整段階において第２対物光学部２１を駆動して調整するのではなく、位置ずれ量を補正値として記憶するように構成しても良い。その場合、第１ウエハＷ１または第２ウエハＷ２の観察工程、位置合わせ工程において、第１テーブル２５４または第２テーブル２５６を駆動するときに、その駆動量に、記憶している補正値を加えて駆動すれば良い。
【０１１３】
なお、上記の説明においては、第１位置検出装置１０も第２テーブル２５６上に設置しているので、第１テーブル２５４により反射ミラー２６５を移動させるのではなく、第１位置検出装置１０を移動させるようにしても良い。もしくは、反射ミラー２６５も第１位置検出装置１０も共に移動させ、より早く両者を対向させる構成としても良い。または、第１位置検出装置１０については、第２テーブル２５６上に設置するのではなく、第２実施形態と同様に床に固定して設置し、第２位置検出装置２０のみを第１テーブル２５４上に設置するようにしても良い。
【０１１４】
＜＜第６実施形態＞＞
第６実施形態は、第２実施形態の変形例である。第２実施形態とは、図７を用いて説明したアライナー１５０の構成が若干異なる。
【０１１５】
図１３は、本実施形態におけるアライナー３５０の側面の構成図である。図７と共通の構成については、同一の符番を付してあるので、その説明を省略する。本実施形態においては、第１テーブル３５４と第２テーブル３５６が、第２実施形態の第１テーブル１５４と第２テーブル１５６に比べて大きく構成されている。そして、第２テーブル３５６上に、第２位置検出装置２０に対向して第１位置検出装置１０が設置されている。つまり、第１位置検出装置１０は、第２テーブル３５６に対して、相対的に固定されており、第２テーブル３５６の移動と共にＸ方向、Ｙ方向、Ｚ方向に移動する。なお、第２位置検出装置２０は、第２実施形態と同様に、天井に固定されている。
【０１１６】
また、第１テーブル３５４の端部に片持ちで支持されるように、第５ハーフミラー３６５が設置されている。第５ハーフミラー３６５の反射面は、第１ウエハＷ１の表面と略同一平面内に位置するように調整されている。なお、図示するように、第５ハーフミラー３６５は、２個の第１位置検出装置１０に対応して２個設置されている。
【０１１７】
第１実施形態においては、第１対物光学部１１と調整光学系４０との位置ずれを検出するために、反射ミラー６５を挿入し、第２対物光学部２１と調整光学系４０との位置ずれを検出するために、反射ミラー６５を退避した。本実施形態においては、第５ハーフミラー３６５を第１テーブル３５４に設置することで、第１テーブル３５４のＸ方向、Ｙ方向への移動を利用して、第５ハーフミラー３６５を第１対物光学部１１及び第１対物レンズ１３の光軸ＯＡ１内に対して挿入、退避する。このように構成することで、図２を用いて説明したずれ検出方法及びずれの補正方法のフローチャートの処理において、反射ミラーの退避に相当する第５ハーフミラー３６５の退避を、光源４１の消灯の直前もしくはその後に行うことができる。すると、第１対物光学部１１と第２対物光学部を対向させた状態で位置ずれの調整を行うことができるので、より正確な調整を期待することができる。
【０１１８】
第２対物光学部２１と調整光学系４０との位置ずれを検出した場合に、調整段階において第２対物光学部２１を駆動して調整するのではなく、位置ずれ量を補正値として記憶するように構成しても良い。その場合、第１ウエハＷ１または第２ウエハＷ２の観察工程、位置合わせ工程において、第１テーブル３５４または第２テーブル３５６を駆動するときに、その駆動量に、記憶している補正値を加えて駆動すれば良い。
【０１１９】
なお、上記の説明においては、第２テーブル３５６上に第１位置検出装置１０が設置され、第１テーブル３５４に第５ハーフミラー３６５が設置されるように構成したが、この構成を逆にしても良い。すなわち、第１テーブル３５４上に第２位置検出装置２０が設置され、第２テーブル３５６に第５ハーフミラー３６５が設置されるように構成しても良い。
【０１２０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【図１】
2014167472.tif 000003
【図２】
2014167472.tif 000004
【図３】
2014167472.tif 000005
【図４】
2014167472.tif 000006
【図５】
2014167472.tif 000007
【図６】
2014167472.tif 000008
【図７】
2014167472.tif 000009
【図８】
2014167472.tif 000010
【図９】
2014167472.tif 000011
【図１０】
2014167472.tif 000012
【図１１】
2014167472.tif 000013
【図１２】
2014167472.tif 000014
【図１３】
2014167472.tif 000015
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
第１アライメントマークを有する第１基板と第２アライメントマークを有する第２基板とを重ね合わせる基板重ね合わせ装置において、
前記第１アライメントマークを検出する第１対物光学系、および前記第１対物光学系を通過した光束を受光する第１撮像部を有する第１位置検出部と、
前記第１対物光学系と対向して配置され前記第２アライメントマークを検出する第２対物光学系、および前記第２対物光学系を通過した光束を受光する第２撮像部を有する第２位置検出部と、
前記第２撮像部へ照射される基準光を発する基準光学系と、
前記基準光を前記第１撮像部へ反射させる反射部材と、
を備え、
前記反射部材は、前記第１基板を載置するステージに設置され、前記ステージが駆動されることにより、前記第１対物光学系の光軸上に配置される位置と前記第１対物光学系の光軸上から退避する位置との間で移動する基板重ね合わせ装置。
【請求項２】
前記第２対物光学系と前記第２撮像部は、前記ステージに対して相対的に固定された請求項１に記載の基板重ね合わせ装置。
【請求項３】
前記反射部材は、前記ステージ上において、前記第２対物光学系と前記第１基板の載置面との間に設置された請求項１または２に記載の基板重ね合わせ装置。
【請求項４】
前記反射部材によって前記第１撮像部へ反射された前記基準光と前記第１対物光学系の光軸の位置ずれ量を測定して前記基準光学系と前記第１対物光学系の光軸の位置ずれ量を調整し、前記第２撮像部へ照射された前記基準光に対する前記第２対物光学系の光軸の位置ずれ量を測定して前記基準光学系と前記第２対物光学系の光軸の位置ずれ量を調整する調整部を備える請求項１から３のいずれか一項に記載の基板重ね合わせ装置。
【請求項５】
前記調整部は、前記反射部材が前記第１対物光学系の光軸上に配置されているときの前記基準光により、前記基準光と前記第１対物光学系との位置ずれ量を測定し、前記反射部材が前記第１対物光学系の光軸上から退避しているときの前記基準光により、前記基準光と前記第２対物光学系の光軸との位置ずれ量を測定する請求項４に記載の基板重ね合わせ装置。
【請求項６】
前記反射部材は、ハーフミラーである請求項４または５に記載の基板重ね合わせ装置。
【請求項７】
前記反射部材は、前記ステージの端部に片持ちで支持された請求項６に記載の基板重ね合わせ装置。
【請求項８】
前記調整部は、前記ハーフミラーにより反射された前記基準光により、前記基準光と前記第１対物光学系の光軸との位置ずれ量を測定し、前記ハーフミラーを透過した前記基準光により、前記基準光と前記第２対物光学系の光軸との位置ずれ量を測定する請求項６または７に記載の基板重ね合わせ装置。
【請求項９】
前記調整部による調整は、測定した前記位置ずれ量を補正値として記憶することであり、前記調整部は、前記補正値を記憶する記憶部を備える請求項４から８のいずれか一項に記載の基板重ね合わせ装置。
【請求項１０】
前記第１対物光学系および前記第２対物光学系による計測値の少なくとも一方に前記補正値を加える請求項９に記載の基板重ね合わせ装置。
【請求項１１】
前記基準光学系は、基準光源と、前記基準光源から照射された前記基準光の視野を絞る指標板とを有し、
前記反射部材は、前記指標板を経た前記基準光を反射する請求項１から１０のいずれか一項に記載の基板重ね合わせ装置。
【請求項１２】
前記指標板は、ピンホール孔又は二次元パターンの開口孔を有する請求項１１に記載の基板重ね合わせ装置。
【請求項１３】
前記指標板により視野が絞られた前記基準光を更に絞る開口絞りを有する請求項１１または１２に記載の基板重ね合わせ装置。
【請求項１４】
前記第１対物光学系に照明光を照射する第１落射照明部と、
前記第２対物光学系に照明光を照射する第２落射照明部と
を備える請求項１から１３のいずれか一項に記載の基板重ね合わせ装置。
【請求項１５】
第１アライメントマークを有する第１基板と第２アライメントマークを有する第２基板とを重ね合わせる基板重ね合わせ装置において、
前記第１アライメントマークを検出する第１対物光学系、および前記第１対物光学系を通過した光束を受光する第１撮像部を有する第１位置検出部と、
前記第１対物光学系と対向して配置され前記第２アライメントマークを検出する第２対物光学系、および前記第２対物光学系を通過した光束を受光する第２撮像部を有する第２位置検出部と、
前記第２撮像部へ照射される基準光を発する基準光学系と、
前記第２撮像部へ照射された前記基準光に対する前記第２対物光学系の光軸の位置ずれ量を測定し、前記第１基板と前記第２基板とを重ね合わせる際に、前記位置ずれ量を補正値として前記第２位置検出部の検出結果に加える調整部と、
を備える基板重ね合わせ装置。